【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
創傷に位置付けられるように構成された創傷被覆材を備え、
前記創傷被覆材が、
１以上の電子構成要素および１以上の前記電子構成要素の少なくとも一部を接続する１以上の電子接続を含む創傷接触層と、
前記創傷接触層の上方の吸水分散層であって、流体の分散を可能にするように構成される、吸水分散層と、
を含む、創傷監視および／または療法装置。
【請求項２】
前記創傷接触層が、流体が前記創傷接触層を通過できるように構成された少なくとも一つの穿孔を含む、請求項１に記載の装置。
【請求項３】
前記吸水分散層が、少なくとも１つの前記穿孔から遠隔な位置から少なくとも１つの前記穿孔に向かって流体を輸送するように構成される、請求項２に記載の装置。
【請求項４】
前記創傷被覆材が、前記創傷接触層の上に位置付けられた二次創傷接触層と、前記二次創傷接触層の上に位置付けられた流体吸収層と、をさらに含み、
前記二次創傷接触層が、流体が前記創傷接触層を通過して前記流体吸収層に入るように構成された少なくとも一つの穿孔を含み、
前記二次創傷接触層の少なくとも１つの前記穿孔が、前記創傷接触層の少なくとも１つの前記穿孔から水平にオフセットされる、請求項２または３に記載の装置。
【請求項５】
前記創傷接触層が実質的に伸縮可能である、請求項１〜４のいずれか一項に記載の装置。
【請求項６】
前記吸水分散層が、前記創傷被覆材が前記創傷の上に位置付けられると、前記創傷接触層を緩衝するように構成される、請求項１〜５のいずれか一項に記載の装置。
【請求項７】
前記吸水分散層が横方向に流体を流すように構成される、請求項１〜６のいずれか一項に記載の装置。
【請求項８】
前記吸水分散層が複数の内部層を含む、請求項１〜７のいずれか一項に記載の装置。
【請求項９】
前記吸水分散層が少なくとも一方向に伸縮可能である、請求項１〜８のいずれか一項に記載の装置。
【請求項１０】
前記吸水分散層が１以上のスリットを含む、請求項１〜９のいずれか一項に記載の装置。
【請求項１１】
前記吸水分散層が複数の繊維片を含む、請求項１〜１０のいずれか一項に記載の装置。
【請求項１２】
前記創傷接触層が多孔性層を含む、請求項１〜１１のいずれか一項に記載の装置。
【請求項１３】
前記創傷接触層がフィルム層を含む、請求項１〜１２のいずれか一項に記載の装置。
【請求項１４】
前記創傷接触層がポリウレタンを含む、請求項１〜１３のいずれか一項に記載の装置。
【手続補正２】
【補正対象書類名】明細書
【補正対象項目名】０３０６
【補正方法】変更
【補正の内容】
【０３０６】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷監視および／または療法装置であって、
創傷の上に位置付けられるように構成された創傷被覆材であって、創傷接触層を含み、前記創傷接触層が、
前記創傷被覆材が前記創傷の上に位置付けられると、前記創傷に面するように構成された創傷に面する側面と、
前記創傷に面する側面に対向する、創傷に面さない側面と、
前記創傷に面する側面および前記創傷に面さない側面のうちの一方の上に位置付けられた複数の第一フロック繊維であって、前記創傷被覆材が前記創傷の上に位置付けられると、前記フロック層に沿って、横方向に、垂直方向に、または、横方向および垂直方向に、創傷流体を分散させることを可能にするよう構成された材料を含む第一フロック繊維と、を含む創傷接触層を含む、創傷監視および／または療法装置。
［付記項２］
前記創傷接触層が、前記創傷に面する側面または前記創傷に面さない側面のうちの他方の上に位置付けられた複数の第二フロック繊維を含む、付記項１に記載の装置。
［付記項３］
前記創傷接触層が、流体が前記創傷接触層を通過できるように構成された少なくとも一つの穿孔を含む、付記項１〜２のうちの一つまたは複数に記載の装置。
［付記項４］
前記複数の第一フロック繊維が、前記少なくとも一つの穿孔から遠隔な位置から、前記少なくとも一つの穿孔に向かって流体を輸送するように構成される、付記項３に記載の装置。
［付記項５］
前記創傷被覆材が、前記創傷接触層の上に位置付けられた二次創傷接触層と、前記二次創傷接触層の上に位置付けられた流体吸収層と、をさらに含み、
前記二次創傷接触層が、流体が前記創傷接触層を通過して前記流体吸収層に入るように構成された少なくとも一つの穿孔を含み、
前記二次創傷接触層の前記少なくとも一つの穿孔が、前記創傷接触層の前記少なくとも一つの穿孔から水平にオフセットされる、付記項３または４のいずれかに記載の装置。
［付記項６］
前記複数の第一フロック繊維が、複数の毛またはループとして配置される、付記項１〜５の一つまたは複数に記載の装置。
［付記項７］
前記創傷接触層が実質的に伸縮可能である、付記項１〜６の一つまたは複数に記載の装置。
［付記項８］
前記創傷接触層がフィルム層を含む、付記項１〜７の一つまたは複数に記載の装置。
［付記項９］
前記創傷接触層が多孔質層を含む、付記項１〜７のいずれか一項に記載の装置。
［付記項１０］
前記創傷接触層がポリウレタンを含む、付記項１〜９の一つまたは複数に記載の装置。
［付記項１１］
前記複数の第一フロック繊維が、前記創傷被覆材が前記創傷の上に位置付けられると、前記創傷接触層を緩衝するように構成された柔らかい材料を含む、付記項１〜１０の一つまたは複数に記載の装置。
［付記項１２］
創傷監視および／または療法装置であって、
創傷の上に位置付けられるよう構成された創傷被覆材であって、一つまたは複数の電子構成要素と、一つまたは複数の電子構成要素の少なくとも一部を接続する一つまたは複数
の電子接続と、を支持する創傷接触層を含む、創傷被覆材を含み、
前記創傷接触層が、前記創傷接触層の創傷に面する側面と、前記創傷接触層の前記創傷に面する側面に対向する、創傷に面さない側面のうちの少なくとも一つの上に位置付けられた、複数の第一フロック繊維を含む、創傷監視および／または療法装置。
［付記項１３］
前記創傷接触層が、前記創傷に面する側面に対向する、創傷に面さない側面の上に位置付けられた複数の第二フロック繊維を含む、付記項１２に記載の装置。
［付記項１４］
前記創傷接触層が、共形コーティングに実質的に封入され、前記複数の第一フロック繊維が、前記共形コーティングに取り付けられるか、または接着される、付記項１２に記載の装置。
［付記項１５］
前記一つまたは複数の電子構成要素のうちの少なくとも一つの電子構成要素が、前記創傷接触層の前記創傷に面する側面の上に位置付けられ、前記複数の第一フロック繊維のフロック繊維が、前記少なくとも一つの電子構成要素の下に全く位置付けられない、付記項１２〜１４のいずれか一項に記載の装置。
［付記項１６］
前記創傷接触層が、流体が前記創傷接触層を通過できるように構成された少なくとも一つの穿孔を含む、付記項１２〜１４のいずれか一項に記載の装置。
［付記項１７］
前記複数の第一フロック繊維が、前記少なくとも一つの穿孔から遠隔な位置から、前記少なくとも一つの穿孔に向かって流体を輸送するように構成される、付記項１６に記載の装置。
［付記項１８］
前記創傷被覆材が、前記創傷接触層の上に位置付けられた二次創傷接触層と、前記二次創傷接触層の上に位置付けられた流体吸収層と、をさらに含み、
前記二次創傷接触層が、流体が前記創傷接触層を通過して前記流体吸収層に入るように構成された少なくとも一つの穿孔を含み、
前記二次創傷接触層の前記少なくとも一つの穿孔が、前記創傷接触層の前記少なくとも一つの穿孔から水平にオフセットされる、付記項１６または１７のいずれかに記載の装置。
［付記項１９］
前記複数の第一フロック繊維が、複数の毛またはループとして配置される、付記項１２〜１８のいずれか一項に記載の装置。
［付記項２０］
前記創傷接触層が実質的に伸縮可能である、付記項１２〜１９のいずれか一項に記載の装置。
［付記項２１］
前記複数の第一フロック繊維が、前記創傷被覆材が前記創傷の上に位置付けられると、前記創傷接触層を緩衝するように構成された柔らかい材料を含む、付記項１２〜２０のいずれか一項に記載の装置。
［付記項２２］
前記創傷接触層がフィルム層を含む、付記項１２〜２１のいずれか一項に記載の装置。
［付記項２３］
前記創傷接触層が多孔性層を含む、付記項１２〜２２のいずれか一項に記載の装置。
［付記項２４］
前記創傷接触層がポリウレタンを含む、付記項１２〜２３のいずれか一項に記載の装置。
［付記項２５］
付記項１〜２４の一つまたは複数の装置を使用および／または操作する方法。
［付記項２６］
創傷接触層を含む創傷被覆材を含む創傷監視および／または療法装置を操作する方法であって、
前記創傷被覆材が、前記創傷接触層の創傷に面する側面を前記創傷の少なくとも一部に接触して配置された状態で前記創傷の上に位置付けされるときに、
前記創傷接触層の少なくとも一つの穿孔を通して創傷流体を取り除くことであって、複数の第一フロック繊維が前記創傷の少なくとも一部に接触して、前記創傷接触層の前記創傷に面する側面上に位置付けられて、前記少なくとも一つの穿孔から遠隔な位置から、前記少なくとも一つの穿孔に向かって流体を輸送する、取り除くことを含む、方法。
［付記項２７］
前記創傷被覆材が、前記創傷接触層の上方に位置付けられた二次創傷接触層をさらに含み、前記方法が、
前記創傷に面する側面に対向する、前記創傷接触層の創傷に面さない側面の上に位置付けられた複数の第二フロック繊維を介して、前記二次創傷接触層の少なくとも一つの穿孔を通して創傷流体を取り除くことであって、前記創傷に面さない側面が、前記二次創傷接触層に面している、取り除くことを含み、
前記二次創傷接触層の前記少なくとも一つの穿孔が、前記創傷接触層の前記少なくとも一つの穿孔から水平にオフセットされる、付記項２６に記載の方法。
［付記項２８］
前記創傷被覆材が、前記二次創傷接触層の上方に位置付けられた流体吸収層をさらに含み、前記方法が、
前記吸収層内に、前記二次創傷接触層の前記少なくとも一つの穿孔を通して取り除かれた前記流体を貯蔵することをさらに含む、付記項２７に記載の方法。
［付記項２９］
陰圧を使用して創傷流体を取り除くことをさらに含む、付記項２６〜２８の一つまたは複数に記載の方法。
［付記項３０］
複数の電子接続によって相互接続された複数の電子構成要素によって前記創傷の測定値を取得することをさらに含む、付記項２６〜２９の一つまたは複数に記載の方法。
［付記項３１］
創傷監視および／または療法装置であって、
創傷上に位置付けられるように構成された創傷被覆材であって、
一つまたは複数の電子構成要素および前記一つまたは複数の電子構成要素の少なくとも一部を接続する一つまたは複数の電子接続を含む創傷接触層と、
前記創傷接触層の上方の吸水分散層であって、流体の分散を可能にするように構成される、吸水分散層と、を含む、創傷被覆材を含む、創傷監視および／または療法装置。
［付記項３２］
前記創傷接触層が、流体が前記創傷接触層を通過できるように構成された少なくとも一つの穿孔を含む、付記項３１に記載の装置。
［付記項３３］
前記吸水分散層が、前記少なくとも一つの穿孔から遠隔な位置から、前記少なくとも一つの穿孔に向かって流体を輸送するように構成される、付記項３２に記載の装置。
［付記項３４］
前記創傷被覆材が、前記創傷接触層の上に位置付けられた二次創傷接触層と、前記二次創傷接触層の上に位置付けられた流体吸収層と、をさらに含み、
前記二次創傷接触層が、流体が前記創傷接触層を通過して前記流体吸収層に入るように構成された少なくとも一つの穿孔を含み、
前記二次創傷接触層の前記少なくとも一つの穿孔が、前記創傷接触層の前記少なくとも一つの穿孔から水平にオフセットされる、付記項３２または３３のいずれかに記載の装置。
［付記項３５］
前記創傷接触層が実質的に伸縮可能である、付記項３１〜３４のいずれか一項に記載の装置。
［付記項３６］
前記吸水分散層が、前記創傷被覆材が前記創傷の上に位置付けられると、前記創傷接触層を緩衝するように構成される、付記項３１〜３５のいずれか一項に記載の装置。
［付記項３７］
前記吸水分散層が横方向に流体を流すように構成される、付記項３１〜３６のいずれか一項に記載の装置。
［付記項３８］
前記吸水分散層が複数の内部層を含む、付記項３１〜３７のいずれか一項に記載の装置。
［付記項３９］
前記吸水分散層が少なくとも一方向に伸縮可能である、付記項３１〜３８のいずれか一項に記載の装置。
［付記項４０］
前記吸水分散層が一つまたは複数のスリットを含む、付記項３１〜３９のいずれか一項に記載の装置。
［付記項４１］
前記吸水分散層が複数の繊維片を含む、付記項３１〜４０のいずれか一項に記載の装置。
［付記項４２］
前記創傷接触層が多孔性層を含む、付記項３１〜４１のいずれか一項に記載の装置。
［付記項４３］
前記創傷接触層がフィルム層を含む、付記項３１〜４２のいずれか一項に記載の装置。
［付記項４４］
前記創傷接触層がポリウレタンを含む、付記項３１〜４３のいずれか一項に記載の装置。
［付記項４５］
創傷監視および／または療法装置であって、
創傷接触層を含み、創傷の上に位置付けられるように構成された創傷被覆材であって、前記創傷接触層が、
前記創傷被覆材が前記創傷の上に位置付けられると、前記創傷に面するように構成された創傷に面する側面と、
前記創傷に面する側面に対向する、創傷に面さない側面と、
一つまたは複数の糸であって、前記糸の第一の部分が、前記創傷接触層の厚さを横切って延在し、前記糸の前記第一の部分が、前記創傷に面する側面から前記創傷に面さない側面に創傷流体を輸送するように構成される、一つまたは複数の糸と、を含む、創傷接触層を含む、創傷監視および／または療法装置。
［付記項４６］
前記糸の第二の部分が、前記創傷接触層の前記創傷に面する側面または前記創傷に面さない側面に沿って横方向に延在し、前記糸の前記第二の部分が創傷流体を横方向に輸送するように構成される、付記項４５に記載の装置。
［付記項４７］
前記一つまたは複数の糸が、前記創傷接触層に対してマシンエンブロイダリーされる、付記項４５または４６に記載の装置。
［付記項４８］
前記一つまたは複数の糸がさらに、ループ形状に配置されたループ部分を含み、前記創傷に面する側面および／または前記創傷に面さない側面から離れるように延在する、付記項４５〜４７のいずれか一項に記載の装置。
［付記項４９］
前記一つまたは複数の糸は、前記創傷に面する側面および／または前記創傷に面さない側面から延在し、前記糸の複数の結んでいない末端を含む房付き部分を含む、付記項４５〜４８のいずれか一項に記載の装置。
［付記項５０］
前記創傷接触層が、流体が前記創傷接触層を通過できるように構成された少なくとも一つの穿孔を含む、付記項４５〜４９のいずれか一項に記載の装置。
［付記項５１］
前記一つまたは複数の糸の少なくとも一部分が、前記創傷接触層の前記少なくとも一つの穿孔を貫通する、付記項５０のいずれか一項に記載の装置。
［付記項５２］
前記一つまたは複数の糸が、流体を流すように構成される、付記項４５〜５１のいずれか一項に記載の装置。
［付記項５３］
前記創傷接触層が実質的に伸縮可能である、付記項４５〜５２のいずれか一項に記載の装置。
［付記項５４］
前記創傷接触層が、一つまたは複数の電子構成要素、および前記電子構成要素の少なくとも一部を接続する一つまたは複数の電子接続を含む、付記項４５〜５３のいずれか一項に記載の装置。
［付記項５５］
創傷監視および／または療法装置であって、
創傷の上に位置付けられるように構成された創傷被覆材であって、複数の電子構成要素、および前記複数の電子構成要素の少なくとも一部を接続する複数の電子接続を支持する可撓性の創傷接触層を含み、
前記創傷接触層が、創傷滲出液の流れを許容するように構成された少なくとも一つの穿孔を含む、創傷監視および／または療法装置。
［付記項５６］
前記少なくとも一つの穿孔が、実質的に前記創傷接触層の中心に位置付けられた第一の穿孔、および前記創傷接触層の周辺に少なくとも部分的に位置付けられた第二の穿孔を含む、付記項５５に記載の装置。
［付記項５７］
前記少なくとも一つの穿孔が、実質的に滑らかな側面を含む、付記項５５または５６に記載の装置。
［付記項５８］
前記少なくとも一つの穿孔が、実質的に滑らかな縁部を含む、付記項５５〜５７のいずれか一項に記載の装置。
［付記項５９］
前記複数の電子接続が、実質的に丸い角を含む、付記項５５〜５８のいずれか一項に記載の装置。
［付記項６０］
前記少なくとも一つの穿孔が、前記創傷接触層の厚さに沿って形成された複数の穿孔を含む、付記項５５〜５９のいずれか一項に記載の装置。
［付記項６１］
前記複数の穿孔が実質的に互いに平行である、付記項６０に記載の装置。
［付記項６２］
前記複数の穿孔が第一および第二の穿孔を含み、前記第一の穿孔が前記第二の穿孔が形成される第二の方向とは異なる第一の方向に沿って形成される、付記項６０に記載の装置。
［付記項６３］
創傷監視および／または療法装置であって、
創傷の上に位置付けられるように構成された創傷被覆材であって、創傷接触層を含む前記創傷被覆材が、前記創傷の少なくとも一部分と接触して配置されるよう構成された、創傷に面する側面を含み、前記創傷接触層が、創傷流体が前記創傷接触層を通過できるよう構成された少なくとも一つの穿孔を含む、創傷被覆材を含み、
複数の第一フロック繊維が、前記創傷接触層の前記創傷に面する側面の上に位置付けられ、前記複数の第一フロック繊維が、前記創傷の少なくとも一部分と接触するよう構成され、前記少なくとも一つの穿孔から遠隔な位置から前記少なくとも一つの穿孔に向かって流体を送達するようにさらに構成され、および／または、
吸水分散層が、前記創傷接触層の上に位置付けられ、前記吸水分散層が、流体の分散を可能にするよう構成され、前記少なくとも一つの穿孔から遠隔な位置から、前記少なくとも一つの穿孔に向かって流体を輸送するようにさらに構成され、および／または、
前記創傷接触層を通って、かつ前記少なくとも一つの穿孔を通って垂直方向に延びる一つまたは複数の糸の少なくとも一部分であって、前記一つまたは複数の糸の少なくとも一部分が、前記創傷に面する側面から前記創傷に面さない側面に創傷流体を輸送するように構成される、創傷監視および／または療法装置。
［付記項６４］
前記複数の第一フロック繊維が、前記創傷被覆材が前記創傷の上に位置付けられると、前記創傷接触層を緩衝するように構成された柔らかい材料を含む、付記項６３に記載の装置。
［付記項６５］
前記吸水分散層が、前記創傷被覆材が前記創傷の上に位置付けられると、前記創傷接触層を緩衝するように構成される、付記項６３〜６４のいずれかに記載の装置。
［付記項６６］
前記一つまたは複数の糸が、前記創傷被覆材が前記創傷の上に位置付けられると、前記創傷接触層を緩衝するように構成される、付記項６３〜６５のいずれかに記載の装置。
［付記項６７］
前記創傷被覆材が、圧縮被覆材を含む、付記項６３〜６６のいずれかに記載の装置。
［付記項６８］
前記創傷被覆材が、前記創傷接触層の前記少なくとも一つの穿孔を通して前記創傷流体を移動させるように構成された陰圧源に流体接続されるように構成される、付記項６３〜６７のいずれかに記載の装置。
［付記項６９］
創傷被覆材を含む創傷監視および／または療法装置を操作する方法であって、
創傷被覆材が、前記創傷被覆材の創傷接触層の創傷に面する側面が創傷の少なくとも一部分と接触して配置された状態で、前記創傷の上に位置付けられるように構成された状態で、前記創傷接触層の少なくとも一つの穿孔を通して創傷流体を取り除くことを含み、
複数の第一フロック繊維が、前記創傷接触層の前記創傷に面する側面に位置付けられ、前記複数の第一フロック繊維が、前記創傷の少なくとも一部分と接触するよう構成され、前記少なくとも一つの穿孔から遠隔な位置から、前記少なくとも一つの穿孔に向かって流体を送達するようにさらに構成され、および／または、
吸水分散層が、前記創傷接触層の上に位置付けられ、前記吸水分散層が、流体の分散を可能にするよう構成され、前記少なくとも一つの穿孔から遠隔な位置から、前記少なくとも一つの穿孔に向かって流体を輸送するようにさらに構成され、および／または、
前記創傷接触層の厚さを横切って、前記少なくとも一つの穿孔を通って延びる一つまたは複数の糸の少なくとも一部分であって、前記創傷に面する側面から前記創傷に面さない側面に創傷流体を輸送するように構成された、方法。
［付記項７０］
前記複数の第一フロック繊維が、前記創傷被覆材が前記創傷の上に位置付けられると、前記創傷接触層を緩衝するように構成された柔らかい材料を含む、付記項６９に記載の方法。
［付記項７１］
前記吸水分散層が、前記創傷被覆材が前記創傷の上に位置付けられると、前記創傷接触層を緩衝するように構成される、付記項６９〜７０のいずれかに記載の方法。
［付記項７２］
前記一つまたは複数の糸が、前記創傷被覆材が前記創傷の上に位置付けられると、前記創傷接触層を緩衝するように構成される、付記項６９〜７１のいずれかに記載の方法。
［付記項７３］
前記創傷被覆材が、圧縮被覆材を含む、付記項６９〜７２のいずれかに記載の方法。
［付記項７４］
前記創傷被覆材が、前記創傷接触層の前記少なくとも一つの穿孔を通して前記創傷流体を移動させるように構成された陰圧源に流体接続されるように構成される、付記項６９〜７３のいずれかに記載の方法。
［付記項７５］
付記項１〜７４のいずれかに記載の装置を使用する方法。
［付記項７６］
図示および／または説明されている創傷被覆材。
［付記項７７］
図示および／または説明されている創傷監視および／または療法システム。
［付記項７８］
図示および／または説明されている創傷被覆材を使用する方法。
［付記項７９］
図示および／または説明されている創傷監視および／または療法システムを使用する方法。